(57)【要約】【課題】ユーザの利便性を高めつつ、回線交換通信による通話とパケット交換通信による通話とを両方同時に確立できる電話機とその通信方法並びに当該通信に用いるサーバ装置を提供する。【解決手段】送信側の携帯電話機１００−１と受信側の携帯電話機１００−２〜１００−４とがサーバ装置２００を介してＶｏＩＰ通話を行っているとき、受信側の携帯電話機１００−４が回線通話に関わる通信データの送受信を開始し、その開始通知をサーバ装置２００へ送信する。この開始通知を受けたサーバ装置２００は、携帯電話機１００−１から送られてくるＶｏＩＰ通話の音声データを文字データに変換して携帯電話機１００−４に送信する。携帯電話機１００−４は、サーバ装置２００から送られてくる文字データを表示部１０８に表示するとともに、回線通話の音声を拡声スピーカ１０５から出力する。【選択図】      図１
2006311147.tif 000002
【特許請求の範囲】
【請求項１】
回線交換通信による第１の通話並びにパケット交換通信による第２の通話が可能な電話機であって、
前記第１の通話に関わる第１の通信データ並びに前記第２の通話に関わる第２の通信データを送受信する通信部と、
音を出力する音出力部と、
音声データを文字データに変換する文字変換部と、
文字データを表示可能な表示部と、
前記音出力部が前記第２の通信データに含まれる音声データの音声を出力中に、前記通信部が前記第１の通話の着信を受信すると、当該着信の報知音を前記音出力部より出力するとともに、前記第２の通信データに含まれる音声データを文字変換部により文字データに変換し、当該文字データを前記表示部に表示する制御部と
を具備することを特徴とする電話機。
【請求項２】
回線交換通信による第１の通話並びにパケット交換通信による第２の通話が可能な電話機であって、
前記第１の通話に関わる第１の通信データ並びに前記第２の通話に関わる第２の通信データを送受信する通信部と、
音を出力する音出力部と、
音声データを文字データに変換する文字変換部と、
文字データを表示可能な表示部と、
前記音出力部が前記第２の通信データに含まれる音声データの音声を出力中に、前記通信部が前記第１の通話データの送信又は受信を開始すると、当該第１の通信データに含まれる音声データの音声を前記音出力部から出力するとともに、前記第２の通信データに含まれる音声データを前記文字変換部により文字データに変換し、当該文字データを前記表示部に表示する制御部と
を具備することを特徴とする電話機。
【請求項３】
回線交換通信による第１の通話、並びに、サーバ装置を介したパケット交換通信による第２の通話が可能な電話機であって、
前記第１の通話に関わる第１の通信データ並びに前記第２の通話に関わる第２の通信データを送受信する通信部と、
音を出力する音出力部と、
文字データを表示可能な表示部と、
前記音出力部が前記第２の通信データに含まれる音声データの音声を出力中に、前記通信部が前記第１の通話の着信を受信すると、当該着信の通知を前記通信部により前記サーバ装置に送信し、前記通知に応答して前記サーバ装置から送られてくる前記第２の通信データに含まれる文字データを前記表示部に表示するとともに、当該着信の報知音を前記音出力部より出力する制御部と
を具備することを特徴とする電話機。
【請求項４】
回線交換通信による第１の通話、並びに、サーバ装置を介したパケット交換通信による第２の通話が可能な電話機であって、
前記第１の通話に関わる第１の通信データ並びに前記第２の通話に関わる第２の通信データを送受信する通信部と、
音を出力する音出力部と、
文字データを表示可能な表示部と、
前記音出力部が前記第２の通信データに含まれる音声データの音声を出力中に、前記通信部が前記第１の通信データの送信又は受信を開始すると、当該第１の通信データの送信又は受信開始の通知を前記通信部により前記サーバ装置に送信し、前記通知に応答して前記サーバ装置から送られてくる前記第２の通信データに含まれる文字データを前記表示部に表示するとともに、当該第１の通信データに含まれる音声データの音声を前記音出力部より出力する制御部と
を具備することを特徴とする電話機。
【請求項５】
着信を通知する通知部と、
着信に応答する旨の指示を入力する入力部と
を具備し、
前記制御部は、前記音出力部が前記第２の通信データに含まれる音声データの音声を出力中に、前記通信部が前記第１の通話の着信を受信すると、当該着信を前記通知部により通知し、当該着信に応答する旨の指示が前記入力部に入力された場合、前記通信部により前記第１の通信データの送信又は受信を開始する
ことを特徴とする請求項２又は４に記載の電話機。
【請求項６】
発呼を行う旨の指示を入力する入力部を具備し、
前記制御部は、前記音出力部が前記第２の通信データに含まれる音声データの音声を出力中に、前記第１の通話の発呼を行う旨の指示が前記入力部に入力された場合、前記通信部により前記第１の通信データの送受信を開始する
ことを特徴とする請求項２又は４に記載の電話機。
【請求項７】
送信側の電話機と受信側の電話機との間でパケット交換通信により行われる通話を制御するサーバ装置であって、
前記パケット交換通信の通話に関わる通信データを前記送信側電話機及び前記受信側電話機との間で送受信する通信部と、
音声データを文字データに変換する文字変換部と、
前記受信側電話機において回線交換通信の通話が開始される旨の通知を、前記通信部が前記通信データの送受信中に受信した場合、前記通信部が前記送信側電話機から受信する音声データを前記文字変換部により文字データに変換し、当該文字データを前記通信部から前記受信側電話機に送信する制御部と
を有することを特徴とするサーバ装置。
【請求項８】
回線交換通信による第１の通話並びにパケット交換通信による第２の通話が可能な電話機における通信方法であって、
送信側の電話機が受信側の電話機へ前記第２の通話の音声データを送信し、前記受信側電話機が当該音声データの音声を出力する第１のステップと、
前記受信側電話機が、前記第１のステップにおいて前記第１の通話の音声の出力中に、前記第１の通話の着信を受信する第２のステップと、
前記受信側電話機が、前記第２のステップにおいて前記第１の通話の着信を受信すると、当該着信の報知音を出力するとともに、前記送信側電話機から送られてくる前記第２の通話の音声データを文字データに変換して表示する第３のステップと
を有することを特徴とする通信方法。
【請求項９】
回線交換通信による第１の通話並びにパケット交換通信による第２の通話が可能な電話機における通信方法であって、
送信側の電話機が受信側の電話機へ前記第２の通話の音声データを送信し、前記受信側電話機部が当該音声データの音声を出力する第１のステップと、
前記受信側電話機が、前記第１のステップにおいて前記第２の通話の音声の出力中に、前記第１の通話に関わる通信データの送受信を開始する第２のステップと、
前記受信側電話機が、前記第２のステップにおいて前記第１の通話に関わる通信データの送信又は受信を開始すると、当該通信データに含まれる音声データの音声を出力するとともに、前記送信側電話機から送られてくる前記第２の通話の音声データを文字データに変換して表示する第３のステップと
を有することを特徴とする通信方法。
【請求項１０】
回線交換通信による第１の通話、並びに、サーバ装置を介したパケット交換通信による第２の通話が可能な電話機における通信方法であって、
送信側の電話機が受信側の電話機へ前記サーバ装置を介して前記第２の通話の音声データを送信し、前記受信側電話機が当該音声データの音声を出力する第１のステップと、
前記受信側電話機が、前記第１のステップにおいて前記第２の通話の音声の出力中に、前記第１の通話の着信を受信する第２のステップと、
前記受信側電話機が、前記第２のステップにおいて前記第１の通話の着信を受信すると、当該着信を前記サーバ装置に通知する第２のステップと、
前記サーバ装置が、前記受信側電話機から前記通知を受信すると、前記送信側電話機から送られてくる前記第２の通話の音声データを文字データに変換して前記受信側電話機に送信する第３のステップと、
前記受信側電話機が、前記サーバ装置から送られてくる文字データを表示するとともに、前記第１の通話の着信の報知音を出力する第４のステップと
を有することを特徴とする通信方法。
【請求項１１】
回線交換通信による第１の通話、並びに、サーバ装置を介したパケット交換通信による第２の通話が可能な電話機における通信方法であって、
送信側の電話機が受信側の電話機へ前記サーバ装置を介して前記第２の通話の音声データを送信し、前記受信側電話機が当該音声データの音声を出力する第１のステップと、
前記受信側電話機が、前記第１のステップにおいて前記第２の通話の音声の出力中に、前記第１の通話に関わる通信データの送受信を開始する第２のステップと、
前記受信側電話機が、前記第２のステップにおいて前記第１の通話に関わる通信データの送受信を開始すると、当該通信データの送受信開始を前記サーバ装置に通知する第２のステップと、
前記サーバ装置が、前記受信側電話機から前記通知を受信すると、前記送信側電話機から送られてくる前記第２の通話の音声データを文字データに変換して前記受信側電話機に送信する第３のステップと、
前記受信側電話機が、前記サーバ装置から送られてくる文字データを表示するとともに、前記第１の通話に関わる通信データに含まれる音声データの音声を出力する第４のステップと
を有することを特徴とする通信方法。
【発明の詳細な説明】
【技術分野】
【０００１】
本発明は、パケット交換通信による通話が可能な電話機とそのような電話機間における通信方法、並びに、パケット交換通信による通話を制御するサーバ装置に関するものである。
【背景技術】
【０００２】
近年、電話機の通信態様が多様化しており、回線交換による従来の音声通話に加えて、ＩＰ（internet protocol）網を利用したパケット通信を行うことが可能な電話機が広く利用されている。例えば、携帯電話機同士でリアルタイムに文字をやり取りすることで会話を行う「チャットメール」がある（特許文献１参照）。チャットメールは、予め登録しておいたメンバー間でグループを形成し、このグループ内でリアルタイムに文字などのデータの通信を行う「グループ通信」と呼ばれる通信態様の１つである。
【０００３】
グループ通信においてＶｏＩＰ（voice over internet protocol）を利用した音声通話を行う試みがあり、その一つにＰｏＣ（push to talk over cellular）と呼ばれるものがある。ＰｏＣでは、ＳＩＰ（session initiation protocol）サーバによって各グループとグループ内の各メンバーを管理し、パケット化した音声の呼制御を行う。
ＰｏＣは、ＶｏＩＰを利用するため、既存の回線交換通信と異なりデータの到着に遅延が生ずる等の課題が残されているものの、新しい通信態様として注目されている。
【特許文献１】特開２００３−１７４５２０号公報
【発明の開示】
【発明が解決しようとする課題】
【０００４】
一方、パケット通信を行いながら同時に回線交換通信による音声通話を行うことを可能にするＳＶＤ（simultaneous voice and data）と呼ばれる技術がある。ＳＶＤでは、回線交換通信における音声通話用の信号とパケット交換通信におけるデータパケットとを重畳して伝送することにより、両者の送受信を同時に行うことが可能である。ＳＶＤは、例えば、ＣＤＭＡ２０００  １ｘの‘Ｒｅｖｉｓｉｏｎ  Ａ’と称される通信規格において検討されている。
【０００５】
図８は、ＣＤＭＡ（code division multiple access）方式における通信チャネルの構成の一例を示す図である。
ＣＤＭＡ方式では、スペクトラム拡散技術を用いて複数の通信チャネルによる多元接続を実現している。通信チャネルの分割と識別には、例えば‘Ｗａｌｓｈ符号’と称される拡散符号が使用される。図８の例では、６４のＷａｌｓｈ符号によって６４の通信チャネルが識別される。第ｉ番（ｉは０から６３までの整数を示す）の通信チャネルを‘Ｗａｌｓｈ（ｉ）’と表記すると、図８の例においてＷａｌｓｈ（０）〜（３２）は各種の制御信号を伝送する制御チャネルを表し、Ｗａｌｓｈ（３３）〜（６３）は各種のデータを伝送するトラフィックチャネルを表す。
制御チャネルは、それぞれ特定の制御信号の伝送に割り当てられる。例えばＷａｌｓｈ（０）はパイロットチャネル、Ｗａｌｓｈ（１）〜（７）はページングチャネルに割り当てられている。
トラフィックチャネルは、音声通話やパケット通信を行う各ユーザに割り当てられる。通常、回線交換通信による音声通話には１チャネル、パケット通信には１〜数チャネルが割り当てられる。
【０００６】
ＳＶＤを利用しない通常の通信の場合、トラフィックチャネルを使ってパケット通信を行っている携帯電話機に対して回線交換網から着信があると、この着信報知を受けた基地局は当該携帯電話機に対してパケット通信の終了を要求する。要求を受けた携帯電話機がパケット通信を終了すると、基地局から携帯電話機に対してページングチャンネルによって着信報知が送信される。
従って、ＳＶＤを利用しない通常の通信において、携帯電話機は、パケット通信を終了しないと通話の着信を受けることができない。
【０００７】
一方、ＳＶＤによる通信の場合、基地局は、パケット通信を維持したまま携帯電話機に対する回線交換網からの着信をページングチャネル（図８の例ではＷａｌｓｈ（５））によって携帯電話機に送信する。ページングチャンネルによって着信報知を受けた携帯電話機がこれに応答して通話に移行すると、指定されたトラフィックチャネル（図８の例ではＷａｌｓｈ（３３））において音声通話が確立する。
【０００８】
このようなＳＶＤによって回線交換通信による音声通話とパケット通信とを同時に行えるようになると、例えばインターネット上のＦＴＰサーバから音楽や画像のファイルをダウンロードしながら同時に音声通話を行うことができるなど、ユーザの利便性が向上する。
【０００９】
ところが、パケット通信によって扱われるデータがＶｏＩＰによってリアルタイムに伝送・再生される音声データである場合、通常の電話機では、この音声データと回線交換通信の音声データとを同時に再生することができない。
すなわち、上述したＳＶＤによれば、ＶｏＩＰの音声データと回線交換通信の音声データとを同時に受信することは可能であるが、通常の電話機には音声の出力パスが１系統しかないため、２つの音声データの何れか一方しか再生することができない。
また、仮に音声の出力パスを２系統設けて両者を同時に再生しても、ユーザは２つの音声を同時に聞き取ることが困難であるため、利便性は低くなってしまう。
【００１０】
従って、従来の電話機では回線交換通信による通話とＶｏＩＰによる通話とを同時に確立することができず、一方の通話を行っているときは他方の通話ができないという不都合がある。
【００１１】
本発明はかかる事情に鑑みてなされたものであり、その目的は、ユーザの利便性を高めつつ、回線交換通信による通話とパケット交換通信による通話とを両方同時に確立できる電話機を提供することにある。
【課題を解決するための手段】
【００１２】
本発明の第１の観点は、回線交換通信による第１の通話並びにパケット交換通信による第２の通話が可能な電話機に関するものであり、この電話機は、前記第１の通話に関わる第１の通信データ並びに前記第２の通話に関わる第２の通信データを送受信する通信部と、音を出力する音出力部と、音声データを文字データに変換する文字変換部と、文字データを表示可能な表示部と、前記音出力部が前記第２の通信データに含まれる音声データの音声を出力中に、前記通信部が前記第１の通話の着信を受信すると、当該着信の報知音を前記音出力部より出力するとともに、前記第２の通信データに含まれる音声データを文字変換部により文字データに変換し、当該文字データを前記表示部に表示する制御部とを具備する。
【００１３】
本発明の第２の観点は、回線交換通信による第１の通話並びにパケット交換通信による第２の通話が可能な電話機に関するものであり、この電話機は、前記第１の通話に関わる第１の通信データ並びに前記第２の通話に関わる第２の通信データを送受信する通信部と、音を出力する音出力部と、音声データを文字データに変換する文字変換部と、文字データを表示可能な表示部と、前記音出力部が前記第２の通信データに含まれる音声データの音声を出力中に、前記通信部が前記第１の通話データの送信又は受信を開始すると、当該第１の通信データに含まれる音声データの音声を前記音出力部から出力するとともに、前記第２の通信データに含まれる音声データを前記文字変換部により文字データに変換し、当該文字データを前記表示部に表示する制御部とを具備する。
【００１４】
本発明の第３の観点は、回線交換通信による第１の通話、並びに、サーバ装置を介したパケット交換通信による第２の通話が可能な電話機に関するものであり、この電話機は、前記第１の通話に関わる第１の通信データ並びに前記第２の通話に関わる第２の通信データを送受信する通信部と、音を出力する音出力部と、文字データを表示可能な表示部と、前記音出力部が前記第２の通信データに含まれる音声データの音声を出力中に、前記通信部が前記第１の通話の着信を受信すると、当該着信の通知を前記通信部により前記サーバ装置に送信し、前記通知に応答して前記サーバ装置から送られてくる前記第２の通信データに含まれる文字データを前記表示部に表示するとともに、当該着信の報知音を前記音出力部より出力する制御部とを具備する。
【００１５】
本発明の第４の観点は、回線交換通信による第１の通話、並びに、サーバ装置を介したパケット交換通信による第２の通話が可能な電話機に関するものであり、この電話機は、前記第１の通話に関わる第１の通信データ並びに前記第２の通話に関わる第２の通信データを送受信する通信部と、音を出力する音出力部と、文字データを表示可能な表示部と、前記音出力部が前記第２の通信データに含まれる音声データの音声を出力中に、前記通信部が前記第１の通信データの送信又は受信を開始すると、当該第１の通信データの送信又は受信開始の通知を前記通信部により前記サーバ装置に送信し、前記通知に応答して前記サーバ装置から送られてくる前記第２の通信データに含まれる文字データを前記表示部に表示するとともに、当該第１の通信データに含まれる音声データの音声を前記音出力部より出力する制御部とを具備する。
【００１６】
前記第２の観点に係る電話機及び前記第４の観点に係る電話機は、着信を通知する通知部と、着信に応答する旨の指示を入力する入力部とを具備しても良い。この場合、前記制御部は、前記音出力部が前記第２の通信データに含まれる音声データの音声を出力中に、前記通信部が前記第１の通話の着信を受信すると、当該着信を前記通知部により通知し、当該着信に応答する旨の指示が前記入力部に入力された場合、前記通信部により前記第１の通信データの送信又は受信を開始しても良い。
【００１７】
また、前記第２の観点に係る電話機及び前記第４の観点に係る電話機は、発呼を行う旨の指示を入力する入力部を具備しても良い。この場合、前記制御部は、前記音出力部が前記第２の通信データに含まれる音声データの音声を出力中に、前記第１の通話の発呼を行う旨の指示が前記入力部に入力された場合、前記通信部により前記第１の通信データの送受信を開始しても良い。
【００１８】
本発明の第５の観点は、送信側の電話機と受信側の電話機との間でパケット交換通信により行われる通話を制御するサーバ装置に関するものであり、このサーバ装置は、前記パケット交換通信の通話に関わる通信データを前記送信側電話機及び前記受信側電話機との間で送受信する通信部と、音声データを文字データに変換する文字変換部と、前記受信側電話機において回線交換通信の通話が開始される旨の通知を、前記通信部が前記通信データの送受信中に受信した場合、前記通信部が前記送信側電話機から受信する音声データを前記文字変換部により文字データに変換し、当該文字データを前記通信部から前記受信側電話機に送信する制御部とを有する。
【００１９】
本発明の第６の観点は、回線交換通信による第１の通話並びにパケット交換通信による第２の通話が可能な電話機における通信方法に関するものであり、この通信方法は、送信側の電話機が受信側の電話機へ前記第２の通話の音声データを送信し、前記受信側電話機が当該音声データの音声を出力する第１のステップと、前記受信側電話機が、前記第１のステップにおいて前記第１の通話の音声の出力中に、前記第１の通話の着信を受信する第２のステップと、前記受信側電話機が、前記第２のステップにおいて前記第１の通話の着信を受信すると、当該着信の報知音を出力するとともに、前記送信側電話機から送られてくる前記第２の通話の音声データを文字データに変換して表示する第３のステップとを有する。
【００２０】
本発明の第７の観点は、回線交換通信による第１の通話並びにパケット交換通信による第２の通話が可能な電話機における通信方法に関するものであり、この通信方法は、送信側の電話機が受信側の電話機へ前記第２の通話の音声データを送信し、前記受信側電話機部が当該音声データの音声を出力する第１のステップと、前記受信側電話機が、前記第１のステップにおいて前記第２の通話の音声の出力中に、前記第１の通話に関わる通信データの送受信を開始する第２のステップと、前記受信側電話機が、前記第２のステップにおいて前記第１の通話に関わる通信データの送信又は受信を開始すると、当該通信データに含まれる音声データの音声を出力するとともに、前記送信側電話機から送られてくる前記第２の通話の音声データを文字データに変換して表示する第３のステップとを有する。
【００２１】
本発明の第８の観点は、回線交換通信による第１の通話、並びに、サーバ装置を介したパケット交換通信による第２の通話が可能な電話機における通信方法に関するものであり、この通信方法は、送信側の電話機が受信側の電話機へ前記サーバ装置を介して前記第２の通話の音声データを送信し、前記受信側電話機が当該音声データの音声を出力する第１のステップと、前記受信側電話機が、前記第１のステップにおいて前記第２の通話の音声の出力中に、前記第１の通話の着信を受信する第２のステップと、前記受信側電話機が、前記第２のステップにおいて前記第１の通話の着信を受信すると、当該着信を前記サーバ装置に通知する第２のステップと、前記サーバ装置が、前記受信側電話機から前記通知を受信すると、前記送信側電話機から送られてくる前記第２の通話の音声データを文字データに変換して前記受信側電話機に送信する第３のステップと、前記受信側電話機が、前記サーバ装置から送られてくる文字データを表示するとともに、前記第１の通話の着信の報知音を出力する第４のステップとを有する。
【００２２】
本発明の第９の観点は、回線交換通信による第１の通話、並びに、サーバ装置を介したパケット交換通信による第２の通話が可能な電話機における通信方法に関するものであり、この通信方法は、送信側の電話機が受信側の電話機へ前記サーバ装置を介して前記第２の通話の音声データを送信し、前記受信側電話機が当該音声データの音声を出力する第１のステップと、前記受信側電話機が、前記第１のステップにおいて前記第２の通話の音声の出力中に、前記第１の通話に関わる通信データの送受信を開始する第２のステップと、前記受信側電話機が、前記第２のステップにおいて前記第１の通話に関わる通信データの送受信を開始すると、当該通信データの送受信開始を前記サーバ装置に通知する第２のステップと、前記サーバ装置が、前記受信側電話機から前記通知を受信すると、前記送信側電話機から送られてくる前記第２の通話の音声データを文字データに変換して前記受信側電話機に送信する第３のステップと、前記受信側電話機が、前記サーバ装置から送られてくる文字データを表示するとともに、前記第１の通話に関わる通信データに含まれる音声データの音声を出力する第４のステップとを有する。
【発明の効果】
【００２３】
本発明によれば、パケット交換通信による通話の音声を文字に変換して表示することにより、ユーザの利便性を高めつつ、回線交換通信による通話とパケット交換通信による通話とを両方同時に確立することができる。
【発明を実施するための最良の形態】
【００２４】
＜第１の実施形態＞
図１は、第１の実施形態に係る通信システムの構成の一例を示す図である。
図１に示す通信システムは、携帯電話機１００−１〜１００−４と、サーバ装置２００とを有する。
【００２５】
携帯電話機１００−１〜１００−４は、基地局３０３，３０４を介してパケット交換網３０１及び回線交換網３０２に接続される。
【００２６】
携帯電話機１００−１〜１００−４は、サーバ装置２００の制御に従って、パケット交換網３０１を介したパケット通信を行う。本実施形態では、一例として、ＰｏＣ（push to talk over cellular）によるパケット通信を行うものとする。パケット通信によって伝送されるデータには、例えばＶｏＩＰによる通話の音声や、画像、文字などのデータが含まれる。
【００２７】
また、携帯電話機１００−１〜１００−４は、回線交換網３０２を介した音声による通話も行う。
携帯電話機１００−１〜１００−４は、例えば先に説明したＳＶＤ（simultaneous voice and data）を利用することによって、パケット交換網３０１の通信データと回線交換網３０２の通信データとを同時に送受信することが可能である。
【００２８】
また、携帯電話機１００−１〜１００−４は、パケット交換網３０１を介してＶｏＩＰ（voice over internet protocol）による通話（以降、ＶｏＩＰ通話と呼ぶことがある）を行っている途中で回線交換網３０２を介した通話（以降、回線通話と呼ぶことがある）を開始する場合、回線通話の開始通知をサーバ装置２００に送信する。開始通知を送信すると、サーバ装置２００からは後述するようにＶｏＩＰ通話の相手方の音声に対応した文字データが送られてくる。携帯電話機１００−１〜１００−４は、この文字データをその表示部に表示するとともに、回線通話の音声をその音出力部（拡声スピーカ、イヤホン等）から出力する。
【００２９】
サーバ装置２００は、携帯電話機１００−１〜１００−４のＰｏＣによるグループ通信を制御する。
【００３０】
サーバ装置２００は、携帯電話機１００−１〜１００−４の１つからＰｏＣによるグループ通信の開始要求を受けると、その要求に応じて相手方の通信端末を呼出し、通信セッションを確立する。通信セッションの確立は、例えばＳＩＰ（voice over internet protocol）に基づいて行う。
【００３１】
また、サーバ装置２００は、グループ内でＶｏＩＰ通話が行われているときに、受信側の携帯電話機の１つから回線通話を開始する旨の通知を受信した場合、後で述べる音声−文字変換部２０２において送信側の携帯電話機の音声データを文字データに変換し、この文字データを当該受信側の携帯電話機へ送信する。
【００３２】
次に、携帯電話機１００−１〜１００−４の構成を説明する。
図２は、携帯電話機１００−１〜１００−４の構成の一例を示す図である。
図２に示す携帯電話機は、アンテナ１０１と、通信部１０２と、キー入力部１０３と、音声処理部１０４と、拡声スピーカ１０５と、イヤースピーカ１０６と、マイクロフォン１０７と、表示部１０８と、記憶部１０９と、制御部１１０とを有する。
通信部１０２は、本発明の通信部の一実施形態である。
キー入力部１０３は、本発明の文字入力部の一実施形態である。
拡声スピーカ１０５は、本発明の音出力部の一実施形態である。
マイクロフォン１０７は、本発明のマイクロフォンの一実施形態である。
表示部１０８は、本発明の表示部の一実施形態である。
制御部１１０は、本発明の制御部の一実施形態である。
【００３３】
通信部２は、パケット交換網３０１及び回線交換網３０２に接続される基地局（３０３，３０４）と無線通信を行い、パケット交換網３０１を介して伝送される信号の送受信、並びに、回線交換網３０２を介して伝送される信号の送受信を行う。通信部１０２が送受信する信号には、回線通話に関わる通信データ（第１の通信データ）や、ＶｏＩＰ通話に関わる通信データ（第２の通信データ）が含まれる。
【００３４】
例えば、通信部２は、制御部１１０から供給される送信データに所定の変調処理を施して無線信号に変換し、アンテナ１０１から送出する。また、アンテナ１０１において受信される基地局からの無線信号に所定の復調処理を施して受信データに変換し、制御部１１０に出力する。
【００３５】
キー入力部１０３は、例えば数字キー、文字キー、矢印キー、決定キーなど、各種の機能を持ったキーを有しており、これらのキーがユーザによって操作された場合に、その操作内容に対応する信号を発生して制御部１１０に出力する。
【００３６】
音声処理部１０４は、スピーカ（拡声スピーカ１０５，イヤースピーカ１０６）において出力される音声信号やマイクロフォン１０７において入力される音声信号の処理を行う。すなわち、マイクロフォン１０７から入力される音声信号に増幅、アナログ−デジタル変換、符号化等の信号処理を施し、デジタルの音声データに変換して制御部１１０に出力する。また、制御部１１０から供給される音声データに復号化、デジタル−アナログ変換、増幅等の信号処理を施し、アナログの音声信号に変換してスピーカ１０５，１０６に出力する。
【００３７】
拡声スピーカ１０５は、例えば、電話や電子メールの着信を知らせる報知音の出力や、ハンズフリー通話時の音声の出力に用いられる。ハンズフリー通話では、携帯電話機をユーザの耳から離した状態で通話が行われる。
他方、イヤースピーカ１０６は、携帯電話機をユーザの耳にあてた状態で行われる通常の通話において音声の出力に用いられる。
【００３８】
マイクロフォン１０７は、例えば、上述した通常の通話やハンズフリー通話において通話相手に送信する音声信号の入力に用いられる。
【００３９】
表示部１０８は、例えば液晶表示パネルや有機ＥＬパネルなどの表示デバイスを用いて構成されており、制御部１１０から供給される画像データに応じた画像を表示する。例えば、発信時における発信先の電話番号や、着信時における着信相手の電話番号、受信メールや送信メールの内容、待ち受け画面、日付、時刻、バッテリ残量等を表示する。
【００４０】
また、表示部１０８は、ＶｏＩＰ通話中において回線通話を開始した場合にサーバ装置２００から送られてくる上述の文字データを表示する。
【００４１】
記憶部１０９は、制御部１１０の処理で利用される各種のデータや、制御部１１０の処理結果のデータを記憶する。例えば、制御部１１０のコンピュータ・プログラムのコードや、その処理に用いる定数データ、処理過程で一時的に記憶する変数データ、電話番号や電子メールドレスを管理するアドレス帳などを記憶する。
【００４２】
また、記憶部１０９は、ＶｏＩＰ通話中において回線通話が開始された場合にサーバ装置２００から送られてくる上述の文字データを記憶する。
【００４３】
制御部１１０は、例えば、記憶部１０９に格納されたプログラム（オペレーティングシステム、アプリケーション等）に基づいて処理を実行するコンピュータを有しており、通信端末の全体的な動作に関わる種々の処理を行う。
例えば制御部１１０は、所定のプロトコルに従った音声通話（ＶｏＩＰ通話、回線通話）が適切に行われるように、音声処理部１０４における音声の入出力処理、通信部１０２における通話用の信号の送受信を制御する。
【００４４】
また、制御部１１０は、ＶｏＩＰ通話の最中に回線通話を開始することができる。すなわち、通信部１０２においてＶｏＩＰ通話に関わる通信データ（第２の通信データ）を受信し、その通信データに含まれる音声データの音声をイヤースピーカ１０６若しくは拡声スピーカ１０５から出力している最中に、回線通話に関わる通信データ（第１の通信データ）の送受信を開始することができる。
【００４５】
スピーカ（１０５又は１０６）がＶｏＩＰ通話の音声を出力している最中に通信部１０２が回線通話に関わる通信データの送受信を開始すると、制御部１１０は、その送受信の開始の旨を通信部１０２からサーバ装置２００に通知する。
サーバ装置２００では、当該通知に応答して、ＶｏＩＰ通話の送信側の携帯電話機から送られてくる音声データを文字データに変換する処理が行わる。変換された文字データは、サーバ装置２００から当該通知の発信元の携帯電話機に宛てて送信される。
サーバ装置２００から送信されたこの文字データを通信部１０２が受信すると、制御部１１０は、受信した文字データを表示部１０８に表示する処理を行う。
また、制御部１１０は、この文字データの表示処理と並行して、通信部１０２が受信する回線通話の相手方の音声データを音声処理部１０４において処理し、その音声を拡声スピーカ１０５から出力するとともに、マイクロフォン１０７から入力される音声を音声処理部１０４において処理し、その音声データを通信部１０２から回線通話の相手方へ送信する処理を行う。
これにより、ＶｏＩＰ通話の内容を表示部１０８において文字として表示しながら、マイクロフォン１０７と拡声スピーカ１０５とを用いて音声による回線通話を行うことができる。
【００４６】
なお、制御部１１０は、サーバ装置２００から送られてくるＶｏＩＰ通話の文字データを記憶部１０９に記憶し、その履歴を残す。
【００４７】
また、制御部１１０は、ＶｏＩＰ通話の最中に回線通話を開始する場合、その開始の条件として、回線交換網３０２からの着信に応答する旨の指示や、回線通話の通信を行う旨の指示がキー入力部１０３に入力されることを判定する。
【００４８】
すなわち、スピーカ（１０５又は１０６）がＶｏＩＰ通話の音声を出力している最中に、回線交換網３０２からの回線通話の着信を通信部１０２が受信すると、制御部１１０は、例えば拡声スピーカ１０５において報知音を出力したり、表示部１０８にメッセージを表示したり、発光素子（不図示）を点灯させたり、振動モータ（不図示）を振動させたりすることによって、回線通話の着信があったことをユーザに通知する。こうした通知に応答して、例えば受話／送話ボタン（不図示）を押下するなどの操作により、着信に応答する旨の指示がキー入力部１０３に入力された場合、制御部１１０は、回線通話に関わる通信データの送受信を開始する。
この場合、着信の通知を行う拡声スピーカ１０５や、表示部１０８、発光素子（不図示）、振動モータ（不図示）等は、本発明の通知部として機能する。
【００４９】
また、スピーカ（１０５又は１０６）がＶｏＩＰ通話の音声を出力している最中に、回線通話の発呼を行う旨の指示（電話番号の入力と受話／送話ボタンの押下など）がキー入力部１０３に入力された場合、制御部１１０は、回線通話の発呼を行うための信号を通信部１０２から送信する。この信号は、回線交換網３０２の図示しない交換機を介して呼び先の携帯電話機に伝送される。この発呼に対して呼び先が応答したことを通知する信号が通信部１０２において受信されると、制御部１１０は回線通話に関わる通信データの送受信を開始する。
【００５０】
次に、サーバ装置２００の構成を説明する。
図３は、サーバ装置２００の構成の一例を示す図である。
図３に示すサーバ装置２００は、通信部２０１と、音声−文字変換部２０２と、ユーザインターフェース部２０３と、記憶部２０４と、制御部２０５とを有する。
通信部２０１は、本発明の通信部の一実施形態である。
音声−文字変換部２０２は、本発明の文字変換部の一実施形態である。
制御部２０５は、本発明の制御部の一実施形態である。
【００５１】
通信部２０１は、ＰｏＣのグループを形成する各々の携帯電話機（１００−１〜１００−４）との間で、パケット交換網３０１を介してパケットを送受信する。このパケットには、ＶｏＩＰ通話に関わる通信データが含まれる。
【００５２】
音声−文字変換部２０２は、制御部２０５から供給される音声データの音声を文字として認識し、当該認識の結果に基づいて音声データを文字データに変換する。
【００５３】
ユーザインターフェース部２０３は、例えばキーボードやマウス、ディスプレイ装置などによって構成されており、サーバ装置２００を操作するための情報の入出力を行う。
【００５４】
記憶部２０４は、制御部２０５の処理で利用される各種のデータや、制御部２０５の処理結果のデータを記憶する。例えば、制御部２０５のコンピュータ・プログラムのコードや、その処理に用いる定数データ、処理過程で一時的に記憶する変数データなどを記憶する。
【００５５】
制御部２０５は、記憶部１１に格納されるプログラム（オペレーティングシステム、アプリケーション等）に基づいて処理を実行するコンピュータを有しており、サーバ装置２００の全体的な動作に関わる種々の処理を行う。
例えば、１つの携帯電話機からＶｏＩＰ通話の開始要求を受けた場合に、相手方の１つ又は複数の携帯電話機を呼び出して、通信セッションを確立する処理を行う。
【００５６】
また、制御部２０５は、ＶｏＩＰ通話が行われているとき（すなわち、ＰｏＣのグループを形成する各携帯電話機との間でＶｏＩＰ通話に関わる通信データを通信部２０１が送受信しているとき）に、受信側の電話機の１つにおいて回線通話が開始される旨の通知を通信部２０１が受信した場合、通信部２０１が受信する送信側の電話機からの音声データを音声−文字変換部２０２において文字データに変換し、この文字データを通信部２０１から当該受信側の電話機に送信する。
【００５７】
ここで、上述した構成を有する通信システムの動作について、図４に示すフローチャートを参照して説明する。図４の例では、携帯電話機１００−１が送信側、携帯電話機１００−２〜１００−４が受信側になってＰｏＣによるＶｏＩＰ通話が行われる。
【００５８】
携帯電話機１００−１がサーバ装置２００にログインし、相手方の携帯電話機の呼出しを要求する。サーバ装置２００は、この要求に応じて相手方の携帯電話機１００−２〜１００−４を呼出し、通信セッションを確立する。ここまでが、サーバ装置２００へのログイン処理である。
【００５９】
通信セッションが確立すると、携帯電話機１００−１〜１００−４の間でＶｏＩＰ通話が行われる。送信側の携帯電話機１００−１は、サーバ装置２００に対してＶｏＩＰ通話の音声データを送信する（ステップＳ１０１，Ｓ１０４）。サーバ装置２００は、受信側の携帯電話機１００−２〜１００−４から送られてくる回線通話の開始通知を監視し（ステップＳ１０２，Ｓ１０５）、この開始通知が無い場合は、携帯電話機１００−１から送られてくるＶｏＩＰ通話の音声データを受信側の各携帯電話機１００−２〜１００−４へ転送する（ステップＳ１０３，Ｓ１０６）。これにより、送信側の携帯電話機１００−１から受信側の携帯電話機１００−２〜１００−４へＶｏＩＰ通話の音声データが伝送される。
ＶｏＩＰ通話の音声データを受信した受信側の携帯電話機１００−２〜１００−４は、受信した音声データの音声をそのスピーカ（１０５又は１０６）から出力する。
【００６０】
ＶｏＩＰ通話が行われている途中で、例えば携帯電話機１００−４に対し回線交換網３０２の他の電話機から着信があった場合や、携帯電話機１００−４自身が回線交換網３０２の他の電話機に対して発呼した場合、携帯電話機１００−４は回線通話を開始して（ステップＳ１０７）、その開始通知をサーバ装置２００に送信する（ステップＳ１０８）。
【００６１】
携帯電話機１００−４が回線通話を開始した後も、送信側の携帯電話機１００−１はサーバ装置２００に対してＶｏＩＰ通話の音声データを送信する（ステップＳ１０９，Ｓ１１３）。サーバ装置２００は、携帯電話機１００−４から回線通話の開始通知を受信しているため、携帯電話機１００−１からの音声データを音声−文字変換部２０２において文字データに変換し、これを携帯電話機１００−４に送信する（ステップＳ１１２，Ｓ１１６）。他方、携帯電話機１００−２，１００−３については、通常通り、携帯電話機１００−１の音声データを転送する（ステップＳ１１１，Ｓ１１５）。
【００６２】
サーバ装置２００からの文字データを受信した携帯電話機１００−４は、受信した文字データをその表示部１０８に表示し、記憶部１０９に保存する。また、これと並行して、回線交換網３０２から送られてくる回線通話の相手方の音声データを処理してその音声を拡声スピーカ１０５から出力するとともに、マイクロフォン１０７から入力される音声を処理してその音声データを回線通話の相手方に送信する。すなわち、携帯電話機１００−４は、ＶｏＩＰ通話の通話内容を文字として表示部１０８に表示するとともに、これと並行して、ハンズフリーの回線通話を行う。
【００６３】
携帯電話機１００−４は、例えば終話ボタンの押下などによって回線通話を終了すると（ステップＳ１１７）、その終了通知をサーバ装置２００へ送信する（ステップＳ１１８）。サーバ装置２００は、携帯電話機１００−４から回線通話の終了通知を受信すると（ステップＳ１２０）、携帯電話機１００−４に対するＶｏＩＰ通話の音声データの転送を再開する（ステップＳ１２１）。携帯電話機１００−４は、サーバ装置２００から送られてくるＶｏＩＰ通話の音声データを処理してその音声を拡声スピーカ１０５若しくはイヤースピーカ１０６から出力し、音声によるＶｏＩＰ通話を再開する。
【００６４】
以上説明したように、本実施形態によれば、送信側の携帯電話機（例えば１００−１）と受信側の携帯電話機（例えば１００−２〜１００−４）とがサーバ装置２００を介してＶｏＩＰ通話を行っているとき、受信側の電話機（例えば１００−４）が回線通話に関わる通信データの送受信を開始すると、当該受信側電話機からサーバ装置２００へ当該通信データの送受信の開始通知が送信される。この開始通知を受けたサーバ装置２００では、送信側電話機から送られてくるＶｏＩＰ通話の音声データが音声−文字変換部２０２において文字データに変換され、この文字データがＶｏＩＰ通話の音声データの代わりとして当該受信側電話機に送信される。当該受信側電話機では、サーバ装置２００から送られてくる文字データが表示部１０８において表示されるとともに、通信部１０２において受信される回線通話の音声データの音声が拡声スピーカ１０５又はイヤースピーカ１０６から出力される。
これにより、ＶｏＩＰ通話を行っている途中でも、これを中断することなく回線通話を開始することが可能になる。また、ＶｏＩＰ通話の通話内容を文字によって確認できるため、２つの通話の音声を同時に出力するような方法に比べて、ユーザの利便性を格段に向上することができる。
特に、通信部１０２において受信される回線通話の音声データの音声が拡声スピーカ１０５から出力されると、ユーザは携帯電話機を手に持ってイヤースピーカ１０６により通話を行う必要がなくなり、いわゆるハンズフリーの状態で回線通話を聞きながら表示部１０８に表示されるＶｏＩＰ通話の文字データを見ることができるため、ユーザは両方の通信を同時に楽しむことができる。
【００６５】
また、ＶｏＩＰ通話の通話内容が文字データに変換されることから、これを例えば記憶部１０９に記憶させることによって、通話内容の履歴を文字データとして残すことが可能になる。
【００６６】
＜第２の実施形態＞
次に、本発明の第２の実施形態について説明する。
先に説明した第１の実施形態に係る通信システムでは、サーバ装置を介してパケット交換通信が行われているが、本実施形態に係る通信システムでは、サーバ装置を介さずに通信端末同士で直接パケット交換通信が行われる。
【００６７】
図５は、本実施形態に係る通信システムの構成の一例を示す図である。
図５に示すように、本実施形態に係る通信システムでは、複数の通信端末（１００Ａ−１〜１００Ａ−４）がパケット交換網３０１を介して直接データ通信（Ｐ２Ｐ：ピア・ツゥ・ピア通信）を行う。
【００６８】
図６は、本実施形態に係る携帯電話機の構成の一例を示す図であり、図２と図６の同一符号は同一の構成要素を示す。
図６に示す携帯電話機は、図２に示す携帯電話機に音声−文字変換部１１１を追加し、制御部１１０を制御部１１０Ａに置き換えたものであり、他の構成要素については図２に示す携帯電話機と同じである。
【００６９】
音声−文字変換部１１１は、制御部１１０Ａから供給される音声データの音声を文字として認識し、当該認識の結果に基づいて音声データを文字データに変換する。
【００７０】
制御部１１０Ａは、先に説明した制御部１１０と同様に、通信端末の全体的な動作に関わる種々の処理を行う。例えば、ＶｏＩＰ通話や回線通話が適切に行われるように、音声処理部１０４における音声の入出力処理や、通信部１０２における通話用信号の送受信などを制御する。
【００７１】
制御部１１０と制御部１１０Ａとの主な違いは、ＶｏＩＰ通話の最中に回線通話を開始する場合の処理にある。
すなわち、制御部１１０Ａは、スピーカ（１０５又は１０６）がＶｏＩＰ通話の音声を出力しているときに通信部１０２が回線通話に関わる通信データの送受信を開始すると、通信部１０２が受信したＶｏＩＰ通話の音声データを音声−文字変換部１１１において文字データに変換し、この変換した文字データを表示部１０８に表示する処理を行う。また、この表示処理と並行して、通信部１０２が受信する回線通話の音声データを音声処理部１０４において処理し、その音声を拡声スピーカ１０５から出力するとともに、マイクロフォン１０７から入力される音声を音声処理部１０４において処理し、その音声データを通信部１０２から回線通話の相手方へ送信する。
これにより、図６に示す携帯電話機においても、ＶｏＩＰ通話の内容を表示部１０８において文字として表示しながら、マイクロフォン１０７と拡声スピーカ１０５とを用いて音声による回線通話を行うことができる。
【００７２】
なお、制御部１１０Ａは、サーバ装置２００から送られてくるＶｏＩＰ通話の文字データを記憶部１０９に記憶し、その履歴を残す。
また、制御部１１０Ａは、ＶｏＩＰ通話の最中に回線通話を開始する場合、その開始の条件として、回線交換網３０２からの着信に応答する旨の指示や、回線通話の発呼を行う旨の指示がキー入力部１０３に入力されることを判定する。
【００７３】
ここで、本実施形態に係る通信システムの動作について、図７に示すフローチャートを参照して説明する。図７の例においては、携帯電話機１００Ａ−１が送信側、携帯電話機１００Ａ−２〜１００Ａ−４が受信側となって、ＰｏＣによるＶｏＩＰ通話が行われる。
【００７４】
例えば携帯電話機１００Ａ−１がパケット交換網３０１経由で携帯電話機１００Ａ−２〜１００Ａ−４を呼び出すことにより、ＰｏＣによるＶｏＩＰ通話が開始される。
ＶｏＩＰ通話が始まると、送信側の携帯電話機１００−１は、受信側の携帯電話機１００−２〜１００−４に対して回線交換網３０２経由でＶｏＩＰ通話の音声データを送信する（Ｓ２０１、Ｓ２０２）。受信側の携帯電話機１００−２〜１００−４は、受信した音声データを処理し、その音声をスピーカ（１０５又は１０６）から出力する。
【００７５】
ＶｏＩＰ通話が行われている最中に、例えば携帯電話機１００−４に対し回線交換網３０２の他の電話機から着信があった場合や、携帯電話機１００−４自身が回線交換網３０２の他の電話機に対して発呼した場合、携帯電話機１００−４は回線通話に関わる通信データの送受信を開始する（ステップＳ２０３）。
【００７６】
携帯電話機１００−４が回線通話に関わる通信データの送受信を開始した後も、送信側の携帯電話機１００−１は受信側の携帯電話機１００−２〜１００−４に対してＶｏＩＰ通話の音声データを送信する（ステップＳ２０４〜Ｓ２０７）。
一方、回線通話に関わるデータの送受信を開始した携帯電話機１００−４は、携帯電話機１００−１から送られてくるＶｏＩＰ通話の音声データを音声−文字変換部１１１において文字データに変換し、これを表示部１０８に表示し、記憶部１０９に保存する。また、これと並行して、回線交換網３０２から送られてくる回線通話の相手方の音声データを処理してその音声を拡声スピーカ１０５から出力するとともに、マイクロフォン１０７から入力される音声を処理してその音声データを回線通話の相手方に送信する。
【００７７】
携帯電話機１００−４は、例えば終話ボタンの押下などによって回線通話を終了する（ステップＳ２０８）。回線通話を終了した後は、サーバ装置２００から送られてくるＶｏＩＰ通話の音声データを処理してその音声をスピーカ（１０５又は１０６）から出力し、音声によるＶｏＩＰ通話を再開する（ステップＳ２０９、Ｓ２１０）。
【００７８】
以上説明したように、本実施形態によれば、送信側の携帯電話機（例えば１００Ａ−１）と受信側の携帯電話機（例えば１００Ａ−２〜１００Ａ−４）との間でＶｏＩＰ通話が行われている最中に、受信側の電話機（例えば１００−４）が回線通話に関わるデータの送受信を開始すると、当該受信側電話機では、送信側電話機から送られてくるＶｏＩＰ通話の音声データが音声−文字変換部１１１において文字データに変換され、この文字データが表示部１０８において表示されるとともに、通信部１０２において受信される回線通話の音声データの音声が拡声スピーカ１０５又はイヤースピーカ１０６から出力される。
これにより、ＶｏＩＰ通話を行っている途中であっても、これを中断することなく回線通話を開始することが可能になる。また、ＶｏＩＰ通話の通話内容を文字によって確認できるため、２つの通話の音声を同時に出力するような方法に比べてユーザの利便性を格段に向上することができる。
特に、通信部１０２において受信される回線通話の音声データの音声が拡声スピーカ１０５から出力されると、ユーザは携帯電話機を手に持ってイヤースピーカ１０６により通話を行う必要がなくなり、いわゆるハンズフリーの状態で回線通話を聞きながら表示部１０８に表示されるＶｏＩＰ通話の文字データを見ることができるため、ユーザは両方の通信を同時に楽しむことができる。
更に、ＶｏＩＰ通話の通話内容が文字データに変換されることから、これを例えば記憶部１０９に記憶させることによって、通話内容の履歴を文字データとして保存することが可能になる。
【００７９】
以上、本発明の幾つかの実施形態について説明したが、本発明は上記の形態のみに限定されるものではなく、種々のバリエーションを含んでいる。
【００８０】
上述の実施形態では、ＶｏＩＰ通話中に回線通話の着信が受信されると、この着信を知らせる報知音が拡声スピーカ等から出力され、この報知音によって着信を知ったユーザが着信に応答する旨の指示を入力部に入力することにより、ＶｏＩＰ通話の音声データを文字データに変換して表示する例が挙げられている。しかしながら、本発明はこの例に限定されるものではない。
この例の場合、回線通話の着信を知らせる報知音とＶｏＩＰ通話の音声とが重なってしまい、ＶｏＩＰ通話の音声を聞き漏らしてしまう可能性がある。そこで、本発明では、例えば回線通話の着信を知らせる報知音を拡声スピーカ等から出力しながら、これと並行して、ＶｏＩＰ通話の音声データを文字データに変換して表示しても良い。
【００８１】
例えば、図２に示す携帯電話機の制御部１１０は、通信部１０２が受信したＶｏＩＰ通話の音声データの音声をスピーカ（１０５又は１０６）から出力している最中に、通信部１０２が回線交換網３０２からの回線通話の着信を受信すると、この着信の報知音を拡声スピーカ１０５から出力するとともに、通信部１０２が受信したＶｏＩＰ通話の音声データを音声−文字変換部１１１において文字データに変換し、この文字データを表示部１０８に表示する。
また、例えば、図６に示す携帯電話機の制御部１１０Ａは、通信部１０２が受信したＶｏＩＰ通話の音声データの音声をスピーカ（１０５又は１０６）から出力している最中に、通信部１０２が回線交換網３０２からの回線通話の着信を受信すると、当該着信の通知を通信部１０２からサーバ装置２００に送信する。そして制御部１１０Ａは、この着信の通知に応答してサーバ装置２００から送られてくるＶｏＩＰ通話の文字データを表示部１０８に表示するとともに、回線通話の着信を知らせる報知音を拡声スピーカ１０５から出力する。
制御部１１０，１１０Ａが上述のような制御を行うことにより、携帯電話機がＶｏＩＰ通話中に回線通話の着信を受けた場合、この着信を知らせる報知音が拡声スピーカ１０５から出力されるとともに、これと並行して、ＶｏＩＰ通話の音声データが文字データに変換されて表示部１０８に表示される。
【００８２】
また、上述の実施形態では、ＶｏＩＰ通話の途中で回線通話が開始された場合に、ＶｏＩＰ通話の音声を文字に変換して表示することによって、回線通話中の電話機がＶｏＩＰ通話の相手方のメッセージを確認できるようにしているが、これとは逆に、回線通話中の電話機からＶｏＩＰ通話の相手方へメッセージを送ることも可能である。
例えば、携帯電話機の制御部１１０（１１０Ａ）は、ＶｏＩＰ通話の相手方へ送信する文字データがキー入力部１０３から入力された場合に、この文字データを通信部１０２からＶｏＩＰ通話の相手方へ送信する。
これにより、ＶｏＩＰ通話の相手方には、音声の代わりに文字によるメッセージを送信することができる。
【００８３】
上述の実施形態では、ＶｏＩＰ通話の途中で回線通話の着信があった場合、キー入力部１０３から通話の開始の指示が入力されることによって回線通話が開始されるが、本発明はこれに限定されない。
すなわち、携帯電話機の制御部１１０（１１０Ａ）は、例えばハンズフリー等の特定の通話モードでＶｏＩＰ通話を行っている途中で回線交換網３０２からの着信通知を通信部１０２が受信した場合、キー入力部１０３からの指示の入力を待つことなく回線通話を自動的に開始しても良い。
【００８４】
上述の実施形態では、パケット交換通信によって通話の音声データをリアルタイム伝送するためにＶｏＩＰを使用する例を挙げているが、これに限らず、他の種々の通信方式によって音声データを伝送しても良い。
また、上述の実施形態では、ＰｏＣのグループ通信によって音声通話を行う例を挙げて説明しているが、本発明はこれに限定されない。すなわち、パケット交換網を介した任意の通信方式による１対１若しくは１対多の音声通話に本発明は適用可能である。
【００８５】
上述した携帯電話機やサーバ装置の各構成要素の機能は、全てをハードウェアで実現しても良いし、その少なくとも一部をソフトウェアで実現しても良い。
例えば、音声−文字変換部（１１１，２０２）における音声認識処理は、全てをハードウェアで実現しても良いし、少なくとも一部をソフトウェアで実現しても良い。ソフトウェアで実現する場合には、その処理を制御部（１１０，１１０Ａ，２０５）に含まれるコンピュータにおいて実行しても良い。
【００８６】
本発明は、上述の実施形態において示すような携帯電話機に限定されるものではなく、例えば据置き型の電話機など、各種の電話機に広く適用可能である。
【図面の簡単な説明】
【００８７】
【図１】第１の実施形態に係る通信システムの構成の一例を示す図である。
【図２】第１の実施形態に係る携帯電話機の構成の一例を示す図である。
【図３】サーバ装置の構成の一例を示す図である。
【図４】第１の実施形態に係る通信システムの動作を説明するためのフローチャートである。
【図５】第２の実施形態に係る通信システムの構成の一例を示す図である。
【図６】第２の実施形態に係る携帯電話機の構成の一例を示す図である。
【図７】第２の実施形態に係る通信システムの動作を説明するためのフローチャートである。
【図８】ＣＤＭＡ方式における通信チャネルの構成の一例を示す図である。
【符号の説明】
【００８８】
１００−１〜１００−４，１００Ａ−１〜１００Ａ−４…携帯電話機、２００…サーバ装置、３０１…パケット交換網、３０２…回線交換網、３０３，３０４…基地局、１０１…アンテナ、１０２，２０１…通信部、１０３…キー入力部、１０４…音声処理部、１０５…拡声スピーカ、１０６…イヤースピーカ、１０７…マイクロフォン、１０８…表示部、１０９，２０４…記憶部、１１０，１１０Ａ，２０５…制御部、１１１，２０２…音声−文字変換部、２０５…ユーザインターフェース部
【図１】
2006311147.tif 000003
【図２】
2006311147.tif 000004
【図３】
2006311147.tif 000005
【図４】
2006311147.tif 000006
【図５】
2006311147.tif 000007
【図６】
2006311147.tif 000008
【図７】
2006311147.tif 000009
【図８】
2006311147.tif 000010